(57)【要約】【課題】本発明は、頭髪をまとめる髪留め具の、頭髪量による結束力を調整できるように、付け替え可能なサイズ調整補助具を有する、サイズ調整機能付き髪留め具に関するものである。【解決手段】一対の髪挟持板により、髪を挟持するように構成された髪留め具の本体と、前記髪挟持板の内側に、着脱可能に装着される、調整用補助具を備えた髪留め具であり、サイズ種別の異なる補助具を、頭髪量、使用目的に応じて、付け替える機能を設けた、サイズ調整機能付き髪留め具を特徴とする。【選択図】図３
2019088507.tif 000002
【特許請求の範囲】
【請求項１】
一対の髪挟持板により髪を挟持するように構成された髪留め具本体と、前記髪挟持板の内側に着脱可能に装着される調整用補助具を備えた髪留め具。
【請求項２】
一対の髪挟持板により髪を挟持するように構成され、上記髪挟持板の内側に、調整用補助具を着脱可能に装着するための結合部を設けた髪留め具。
【請求項３】
調整用補助具は基板の片面に複数の棒状突起が櫛目状に形成されたものである請求項１記載の髪留め具。
【請求項４】
髪挟持板の内側に着脱可能に装着するための結合部を備えた基板に、突起を複数突設した髪留め調整用補助具。
【発明の詳細な説明】
【技術分野】
【０００１】
本発明は、髪留め具に関するものである。
【背景技術】
【０００２】
従来、髪留め具は、本体サイズの形状が大・小と区別されているだけで、頭髪量によるサイズを調整する機能はなかった。
【０００３】
また、従来の髪留め具には、ずれ落ち防止のため、髪留め具内側に、固定された棒状突起が設けられているが、サイズが一定であり、ずれ落ち防止が機能せず、髪留め具本体を使用できない場合もある（特許文献１参照）。
【先行技術文献】
【特許文献】
【０００４】
【特許文献１】実登３０４１９７９号公報
【発明の概要】
【発明が解決しようとする課題】
【０００５】
本来、髪留め具は、頭髪量に合わせたサイズ調整をすることで、結束力など自分に合わせることができるものである。
【０００６】
しかし、従来の髪留め具には、一定サイズのずれ落ち防止の棒状突起が備えられているだけのものが一般的であり、誰にでも、丁度良いサイズに合わせることが不可能である。
【０００７】
また、アレンジする髪型や留める位置によっても、髪の結束量は変わるが、髪留め具のサイズが一定であるため、留まらず使用できないことがある。
【０００８】
そのため、頭髪量のサイズ別ではない、形状の大小だけで、大きさの異なる髪留め具を複数個保有して、使い分けなければならない。
本発明は、以上のような問題点をなくすためになされたものである。
【課題を解決するための手段】
【０００９】
本発明の髪留め具は、一対の髪挟持板により、髪を挟持するように構成された髪留め具本体と、前記髪挟持板の内側に、着脱可能に装着される、調整用補助具を備えたものである。
【発明の効果】
【００１０】
髪留め具の内側に、補助具を付け替えるだけで、誰にでも、自分の頭髪量に合った髪留め具に調整できる。
【００１１】
また、アレンジする髪型や加齢に伴う頭髪量の変化にも、補助具のみ買い替えるだけで、自分に合ったサイズに調整することができ、髪留め具を長期使用できる。
【００１２】
補助具の表面に、複数の棒状突起を櫛目状に設け、棒状突起の太さ・長さ・本数を変えることで、サイズ調整の幅が増え、さらに、補助具自体が櫛として機能し、髪留め具の付け外しの際、髪の絡みや切れが無くなる。
【００１３】
また、補助具は脱着可能なため、整髪料などの汚れも取り外して洗浄することができ、衛生的である。
【００１４】
更に、自分の頭髪量に合った補助具を保持すれば、大・小形状サイズの異なる髪留め具を複数個保持する必要がなく、経済的である。
【図面の簡単な説明】
【００１５】
【図１】本発明の実施形態における髪留め具を示す斜視図である。
【図２−Ａ】同斜視図で、補助具の表面を示す図である。
【図２−Ｂ】同斜視図で、補助具の裏面を示す図である。
【図３】同斜視図で、髪留め具に補助具を付けた状態を示す図である。
【図４】同斜視図で、別の補助具を示す図である。
【図５】同斜視図で、更に別の補助具を示す図である。
【発明を実施するための形態】
【００１６】
以下、本発明を実施するための形態について、図を用いて説明する。
図１は、髪留め具本体を示すものであり、一対の髪挟持板３,４のそれぞれ一端側に係止具７,８が設けられ、他端側にそれぞれ軸受部５A,５B,５C(図示せず)が突設され、これらの軸受部５A,５B,５Cを接合させて、回動軸６を、前記軸受部５A,５B,５Cに開設された孔部９A（図示せず）,９B,９C（図示せず）に挿通して固定させることにより連結するよう構成され、前記髪挟持板３,４それぞれに設けられた係止具７,８を互いにねじり合わせて固定する。
【００１７】
図２-Aは補助具１０の表面側を示し、基板１１に複数の棒状突起１２が、２列櫛目状に一直線上に形成されている。また、図２-Bは、図１に示す髪挟持板３の内側に設けられた凸部２A,２Bに、それぞれはめ合わせるための凹部１３A,１３Bが設けられている。
【００１８】
図３は、髪留め具本体と補助具を装着した、本発明の髪留め具を示すものであり、髪挟持板３の内側に、補助具１０を装着したものである。髪挟持板３の内側に設けた凸部２A,２Bに、基板１１の裏面に設けた凹部１３A,１３Bをかみ合わせて固定し、髪留め具として使用する。
【００１９】
図４は別の形態を示す補助具であり、基板１１に、図２-Aに示したものよりも細長い棒状突起１４を、３列櫛目状に形成されたものである。図５で示す補助具は、図４に示す補助具よりも、少し太く短い棒状突起１５を、２列櫛目状に一直線上に形成されている。
【００２０】
図３に示す、本実施形態のサイズ調整機能付き髪留め具は、髪留め具本体の内側に補助具を付け外したり、別の物に付け替えたりすることにより、サイズを調整する機能を設けたものである。例えば、髪量が少ない人には、図４に示したように、細長い棒状突起で櫛目間隔が狭いものを、髪量が普通の人は図５に示す補助具を、髪量が多い人は図２で示す補助具を自由に選択し、付け替えることができる。さらに、補助具を付けずに、髪留め具本体のみで使用する場合もある。
【００２１】
例えば、図３で示すように、髪留め具の種類にもよるが、一対で頭髪を挟み留める髪留め具の場合は、髪留め具本体の内側に設けた凸部２A,２Bを、各々、両面一対に設けることにより、補助具を両面に装着することもできる。また、どちらか１方にのみ装着することも可能である。
【００２２】
更に、補助具を２つ付ける時は、サイズの異なるものを、それぞれ組み合わせることで、サイズ調整の幅が広がる。
【００２３】
その結果、さらに頭髪量に合ったサイズ調整が可能となり、アレンジする髪型よる頭髪量に合わせて、サイズ調整ができ、髪留め具本体のサイズが頭髪量に合わず、留まらなかったりずれ落ちたりすることがなくなる。
【００２４】
補助具は、シリコン素材などの、滑りにくく、髪に留まりやすい素材を使用することで、髪留め具本来の機能性が向上する。また、補助具を付けずに髪留め具を使用する場合は、髪挟持板の内側に、シリコン素材などの滑り止め防止加工を施すことで、補助具がなくてもずれ落ちを防ぐこともできる。
【００２５】
補助具は、髪留め具本体とは分離された補助具であるため、髪留め具の使用後、整髪料などの付着を、取り外して洗浄することができ、衛生的に保つことができる。
【００２６】
以上の実施形態では、髪留め具１を用いて例示したが、髪留め具の形状はこれに限定されず、また、補助具１０の形状も、髪留め具内側の形状に合わせて形成されるものであり、これに限定されない。
【符号の説明】
【００２７】
１     髪留め具
２A    凸部
２B    凸部
３     髪挟持板
４     髪挟持板
５A    軸受部
５B    軸受部
５C    軸受部
６     回動軸
７     係止具
８     係止具
９A    孔部
９B    孔部
９C    孔部
１０   補助具
１１   基板
１２   棒状突起
１３A  凹部
１３B  凹部
１４   棒状突起
１５   棒状突起
【図１】
2019088507.tif 000003
【図２−Ａ】
2019088507.tif 000004
【図２−Ｂ】
2019088507.tif 000005
【図３】
2019088507.tif 000006
【図４】
2019088507.tif 000007
【図５】
2019088507.tif 000008
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
一対の髪挟持板により髪を挟持するように構成された髪留め具本体と、前記一対の髪挟持板のそれぞれの内側に着脱可能に装着される調整用補助具を備えた髪留め具を用い、前記一対の髪挟持板のいずれにも前記調整用補助具を装着しない第１の状態と、前記一対の髪挟持板の片方にのみ前記調整用補助具を装着する第２の状態と、前記一対の髪挟持板の双方に前記調整用補助具を装着する第３の状態のいずれかを選択するとともに装着する前記調整用補助具のサイズを複数用意されたものの中から選択することにより髪留め具のサイズ調整を行うことを特徴とする髪留め具のサイズ調整方法。
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
一端部で互いに回動可能に結合し、他端部にそれぞれ係止具を備え、上記他端部が開閉可能に構成された一対の髪挟持板により髪を挟持するように構成された髪留め具本体と、前記一対の髪挟持板のそれぞれの内側に着脱可能に構成され、基板に複数の棒状突起を形成して構成されているとともに前記一対の髪挟持板の他端部が閉じられた状態における前記一対の髪挟持板の間の挟持髪容量を調整するための髪量調整用補助具を備え、前記一対の髪挟持板のいずれにも前記髪量調整用補助具を装着しない第１の状態と、前記一対の髪挟持板の片方にのみ前記髪量調整用補助具を装着する第２の状態と、前記一対の髪挟持板の双方に前記髪量調整用補助具を装着する第３の状態のいずれかを選択することにより髪留め具の挟持髪量の調整を行えるようにしたことを特徴とする髪留めシステム。
【請求項２】
前記髪量調整用補助具は前記棒状突起の数、太さ、もしくは長さの少なくともいずれかが異なる複数のものの中から選択可能に構成されていることを特徴とする請求項１記載の髪留めシステム。